(57)【要約】 【課題】  物体光および参照光の移動手段を簡単な構成とすることにより、記録再生装置の小型化を図るとともに、ホログラム情報の記録あるいは再生時において、未記録領域への不必要な光の入射を防止して、未記録領域の状態を良好に保つことができるホログラム記録再生方法を提供することを目的とする。【解決手段】  ホログラム情報の記録あるいは再生時に、一方向はカード型光記録媒体を移動させ、それと略直交した方向は、ホログラム記録再生光学系を移動させてホログラム情報を記録あるいは再生することにより、記録再生装置の小型化を図るとともに、未記録領域への不必要な光の入射を防止して、未記録領域の状態を良好に保つことができるホログラム記録再生方法を提供する。【選択図】  図２
2006048810.tif 000002
【特許請求の範囲】
【請求項１】
ホログラム記録再生光学系を有し、物体光と参照光とを光記録媒体に照射して、該光記録媒体に前記物体光の情報を干渉縞として記録するとともに、該記録された干渉縞に記録時と同じ参照光を照射して、回折した光により情報を再生するホログラム記録再生方法であって、
前記光記録媒体はカード型光記録媒体であり、ホログラム情報の記録あるいは再生時に、一方向は前記カード型光記録媒体を移動させ、それと略直交した方向は、前記ホログラム記録再生光学系を移動させてホログラム情報を記録あるいは再生することを特徴とするホログラム記録再生方法。
【請求項２】
前記ホログラム記録再生光学系が、光源の光を略平行光にする第１の光学系部と、前記物体光あるいは前記参照光を前記カード型光記録媒体に照射し、再生光を検出する第２の光学系部から構成され、
ホログラム情報の記録あるいは再生時に、前記第２の光学系部のみを移動させることを特徴とする請求項１に記載されたホログラム記録再生方法。
【請求項３】
前記カード型光記録媒体が、カートリッジに内蔵され、ホログラム記録再生装置にカートリッジを挿入したときに、該ホログラム記録再生装置内に前記カード型光記録媒体のみが引き込まれ、ホログラム情報の記録再生時における前記カード型光記録媒体の移動方向が、前記ホログラム記録再生装置にカートリッジを挿入する方向と同一であることを特徴とする請求項１あるいは請求項２に記載されたホログラム記録再生方法。
【請求項４】
連続的にホログラム情報を記録あるいは再生する時に、前記ホログラム記録再生光学系と前記カード型光記録媒体のどちらか一方を往復移動させ、他方は一方向にのみ移動させることを特徴とする請求項１から請求項３のいずれかに記載されたホログラム記録再生方法。
【請求項５】
前記カード型光記録媒体の形状が長方形であって、前記カートリッジを前記ホログラム記録再生装置に挿入する方向が、前記カード型光記録媒体の長辺方向であることを特徴とする請求項３に記載されたホログラム記録再生方法。
【請求項６】
前記参照光の光軸が、前記カード型光記録媒体面の法線に対し傾いており、該光軸を前記カード型光記録媒体に射影したベクトルと記録時における前記カード型光記録媒体の移動方向を示すベクトルのなす角θが、−９０°＜θ＜９０°であることを特徴とする請求項１から請求項４のいずれかに記載されたホログラム記録再生方法。
【請求項７】
前記参照光の光軸が、前記カード型光記録媒体面の法線に対し傾いており、該光軸の前記カード型光記録媒体に射影したベクトルと記録時における前記カード型光記録媒体の移動方向を示すベクトルのなす角θが略０°であることを特徴とする請求項１から請求項４に記載されたホログラム記録再生方法。
【発明の詳細な説明】
【技術分野】
【０００１】
本発明は、情報を物体光と参照光とによる干渉縞として記録するとともに、記録時と同一の参照光を照射して情報を再生するホログラム記録再生方法に関する。
【背景技術】
【０００２】
近年、情報の記録媒体として相変化型や光磁気型などの書き換え可能な光ディスクが、広く普及している。これらの光ディスクは、さらに記録密度を高めるためには、ビームスポット径を小さくして、隣接トラックまたは隣接ビットとの距離を短くするなどの技術が必要である。
【０００３】
このように、光ディスクの高密度化は年々進んでいるが、一方で、上記の光ディスクは面内にデータを記録するため、その記録密度は光の回折限界に制限され、高密度記録の物理的限界に近づいている。したがって、更なる大容量化のためには、奥行き方向を含めた３次元（体積型）の多重記録が必要となる。
【０００４】
そこで、次世代のコンピュータファイルメモリとして、３次元的多重記録に由来する大容量性と２次元一括記録再生方式に由来する高速性とを兼ね備えたホログラムメモリが注目されている。ホログラムメモリは、例えば、フォトポリマーなどを記録材料とする記録層を２枚のガラス板に挟み込んで形成した記録媒体に記録情報に対応する物体光と参照光とを照射し、双方の光により生成される干渉縞を記録材料の屈折率の変化として記録するものであり、情報の再生時には、記録された干渉縞に対し参照光のみを照射し、記録情報に対応する光学情報を抽出するものである。
【０００５】
ところで、ホログラムメモリには、キューブ型やカード型等様々な形態のものが提案されているが、例えば、カード型に関するものとしては、導波路を形成した記録層を多層化して、記録容量の増大を図ったホログラムメモリが知られており、このホログラムメモリに情報を記録する方法としては、例えば、特許文献１に記載された方法が知られている。
【特許文献１】特開２００２−３６６０１７号公報
【発明の開示】
【発明が解決しようとする課題】
【０００６】
しかし、特許文献１に開示されたホログラムカードにおいては、物体光と参照光とを互いに直交させてホログラムカードに入射させる必要があるために、ホログラムの記録再生に用いられる光学系の構成が複雑になり、装置全体が大型になるという問題がある。また、物体光と参照光とを互いに同一の方向から入射させる方式も開示されているが、この場合でもホログラムカード側に４５度反射面を設ける必要があることから、ホログラムカードの構成が複雑になるといった問題がある。さらに、参照光が記録領域以外の記録層に入射してしまうため、未記録の記録層に悪影響を与え、記録品質の劣化を生じるという問題もある。
【０００７】
そこで、本発明は、上述の問題点に鑑みてなされたものであり、物体光および参照光の移動手段を簡単な構成とすることにより、記録再生装置の小型化を図るとともに、ホログラム情報の記録あるいは再生時において、未記録領域への不必要な光の入射を防止して、未記録領域の状態を良好に保つことができるホログラム記録再生方法を提供することを目的とする。
【課題を解決するための手段】
【０００８】
本発明は、上述の課題を解決するために、以下の手段を提案している。
請求項１に係る発明は、ホログラム記録再生光学系を有し、物体光と参照光とを光記録媒体に照射して、該光記録媒体に前記物体光の情報を干渉縞として記録するとともに、該記録された干渉縞に記録時と同じ参照光を照射して、回折した光により情報を再生するホログラム記録再生方法であって、前記光記録媒体はカード型光記録媒体であり、ホログラム情報の記録あるいは再生時に、一方向は前記カード型光記録媒体を移動させ、それと略直交した方向は、前記ホログラム記録再生光学系を移動させてホログラム情報を記録あるいは再生することを特徴とするホログラム記録再生方法を提案している。
【０００９】
この発明によれば、ホログラム情報の記録あるいは再生時に、一方向は前記カード型光記録媒体を移動させ、それと略直交した方向は、前記ホログラム記録再生光学系を移動させてホログラム情報の記録あるいは再生を行うことから、カード型記録媒体の移動方向およびホログラム記録再生光学系移動方向をそれぞれ一次元方向のみとすることができる。
【００１０】
請求項２に係る発明は、請求項１に記載されたホログラム記録再生方法について、前記ホログラム記録再生光学系が、光源の光を略平行光にする第１の光学系部と、前記物体光あるいは前記参照光を前記カード型光記録媒体に照射し、再生光を検出する第２の光学系部から構成され、ホログラム情報の記録あるいは再生時に、前記第２の光学系部のみを移動させることを特徴とするホログラム記録再生方法を提案している。
【００１１】
この発明によれば、ホログラム記録再生光学系を２つの光学系に分離し、これを固定部と移動部としたため、移動部の重量を軽<することができるとともに、その体積を小さくすることができる。
【００１２】
請求項３に係る発明は、請求項１あるいは請求項２に記載されたホログラム記録再生方法について、前記カード型光記録媒体が、カートリッジに内蔵され、ホログラム記録再生装置にカートリッジを挿入したときに、該ホログラム記録再生装置内に前記カード型光記録媒体のみが引き込まれ、ホログラム情報の記録再生時における前記カード型光記録媒体の移動方向が、前記ホログラム記録再生装置にカートリッジを挿入する方向と同一であることを特徴とするホログラム記録再生方法を提案している。
【００１３】
この発明によれば、カード型光記録媒体はカートリッジに内臓されており、ホログラム記録再生装置のカートリッジ挿入部にカートリッジを挿入し、ホログラム記録再生装置内にカード型光記録媒体のみを引き込む構成であって、記録再生時のカード型光記録媒体の移動方向は、ホログラム記録再生装置にカートリッジを挿入する方向と同一であるとしたため、ホログラム記録再生装置内にカード型光記録媒体を引き込む機構と、記録再生時のカード型光記録媒体の移動を行う機構を共通化することができる。
【００１４】
請求項４に係る発明は、請求項１から請求項３のいずれかに記載されたホログラム記録再生方法について、連続的にホログラム情報を記録あるいは再生する時に、前記ホログラム記録再生光学系と前記カード型光記録媒体のどちらか一方を往復移動させ、他方は一方向にのみ移動させることを特徴とするホログラム記録再生方法を提案している。
【００１５】
この発明によれば、カード型光記録媒体に情報を連続的に記録する時は、ホログラム記録再生光学系あるいはカード型光記録媒体のどちらか一方を往復移動させ、他方を一方向に移動させて、ホログラム情報の記録あるいは再生動作を行うようにしたため、連続的にデータを記録あるいは再生する場合、カード型光記録媒体、ホログラム記録再生光学系の移動量は、それぞれの方向でホログラムを多重記録するときの最小移動量でよい。
【００１６】
請求項５に係る発明は、請求項３に記載されたホログラム記録再生方法について、前記カード型光記録媒体の形状が長方形であって、前記カートリッジを前記ホログラム記録再生装置に挿入する方向が、前記カード型光記録媒体の長辺方向であることを特徴とするホログラム記録再生方法を提案している。
【００１７】
この発明によれば、カード型光記録媒体は長方形であって、カートリッジをホログラム記録再生装置に挿入する方向をカード型光記録媒体の長辺方向としたため、カートリッジの短辺方向が開口する構成となる。また、ホログラム記録再生装置の開閉部の幅もカートリッジの短辺方向に対応した幅となり、カートリッジ内、ホログラム記録再生装置内に進入するゴミやチリ等を低減することが可能となる。
【００１８】
請求項６に係る発明は、請求項１から請求項４のいずれかに記載されたホログラム記録再生方法について、前記参照光の光軸が、前記カード型光記録媒体面の法線に対し傾いており、該光軸を前記カード型光記録媒体に射影したベクトルと記録時における前記カード型光記録媒体の移動方向を示すベクトルのなす角θが、−９０°＜θ＜９０°であることを特徴とするホログラム記録再生方法を提案している。
【００１９】
この発明によれば、参照光の照射方向をホログラム情報の記録方向(カード型光記録媒体移動方向)に対して、所定の範囲に限定したので、参照光の不必要な光が未記録領域に入射する量を低減できる。
【００２０】
請求項７に係る発明は、請求項１から請求項４に記載されたホログラム記録再生方法について、前記参照光の光軸が、前記カード型光記録媒体面の法線に対し傾いており、該光軸の前記カード型光記録媒体に射影したベクトルと記録時における前記カード型光記録媒体の移動方向を示すベクトルのなす角θが略０°であることを特徴とするホログラム記録再生方法を提案している。
【００２１】
この発明によれば、参照光の照射方向をホログラム情報の記録方向(カード型光記録媒体移動方向)に対して、所定の値に限定したため、参照光の不必要な光が未記録領域に入射することがない。
【発明の効果】
【００２２】
本発明によれば、駆動機構を簡素化することにより、装置を小型化し、コストの低減を図ることができるという効果がある。
また、本発明によれば、ホログラム記録再生光学系とカード型光記録媒体の駆動方式を最適化することにより、ホログラム情報の記録再生時間を短縮化することができるという効果がある。
また、本発明によれば、参照光の照射方向を所定の範囲に規制することにより、未記録領域の状態を良好に保ち、記録品質を向上させることができるという効果がある。
【発明を実施するための最良の形態】
【００２３】
以下、本発明の実施例に係るホログラム記録再生方法について、図１から図１８を参照して詳細に説明する。
【００２４】
本発明の第１の実施形態について、図１から図３および図１８を用いて説明する。
本発明のホログラム記録再生方法における記録再生光学系は、図１に示すように、レーザー１と、レンズ２と、λ／２板３、５、８と、偏光ビームスプリッタ（ＰＢＳ）４、６と、空間光変調器（ＳＬＭ）7と、対物レンズ（ＯＬ）９と、カード型光記録媒体１０と、ホログラム素子１１と、集光レンズ１２と、２次元光検出器アレイ１３とから構成されている。
【００２５】
レーザー１から出射した光(例えば、Ｓ偏光とする)は、レンズ２により平行光とされ２分の１波長板（λ／２板）３で偏光面が回転する。そして、Ｐ偏光の光は、偏光ビームスプリッタ（ＰＢＳ）４を透過し、λ／２板５で偏光面が再び回転する。そして、Ｓ偏光の光は、偏光ビームスプリッタ（ＰＢＳ）６において反射し、空間光変調器（ＳＬＭ）７により２次元データを与えられる。λ／２板８をＳ偏光の状態のまま透過した光は、対物レンズ（ＯＬ）９によりカード型光記録媒体１０の記録層１０１近傍に物体光３０として集光する。ここで、１００は基板、保護層等である。
【００２６】
一方、λ／２板３により、Ｓ偏光とされた光は、ＰＢＳ４で反射し、偏向作用および／あるいは集光作用および／あるいは光束の位相を空間的にランダムにする作用および／あるいは振幅等を空間的にランダムにする作用を併せ持つホログラム素子１１により、カード型光記録媒体１０上における物体光３０が照射された記録層１０１近傍に、参照光３１として照射される。カード型光記録媒体１０の記録層１０１では、物体光３０と参照光３１とが干渉し、干渉縞が体積記録される。なお、物体光３０および参照光３１の光量は、λ／２板３を光軸回りに回転することにより任意に設定可能であり、光量は、干渉縞のパターンが最も鮮明になるように選べばよい。
【００２７】
次に、記録データを再生するときは、λ／２板３を光軸周りに回転し、Ｓ偏光成分のみの光とし、ＰＢＳ４で全て反射させて、参照光(Ｓ偏光)のみをカード型光記録媒体１０の干渉縞記録領域の記録層１０１に照射する。データ記録層１０１で回折した光は、カード型光記録媒体１０の反射膜層１０２で反射した後、ＯＬ９に入射し、λ／２板８でＰ偏光に変換される。ついで、ＳＬＭ７およびＰＢＳ６を透過し、集光レンズ１２により、２次元光検出器アレイ１３上に集光されて２次元データが再生される。なお、信号再生時は、ＳＬＭ７の全領域を透過状態とするか、光路から外れるようにしておく必要がある。また、λ／２板８は、光軸をＳ偏光に対して４５度に回転しておく必要がある。
【００２８】
本実施形態における記録方式は、２次元のシフト多重によるホログラム記録である。シフト多重方式は、記録する領域を微少量ずつずらしていきながらホログラム情報を順次記録してい<方式であり、シフト多重を行うには、参照光を球面波とするか、その位相、振幅および進行方向等を空間的にランダムとする必要がある。
【００２９】
そこで、図１８を用いてシフト多重方式について説明する。
シフト多重方式は、ある領域に物体光４０−１（データ１）を照射し、同一箇所に照射した参照光４１−１と干渉させてホログラム４２−１を体積記録するものである。あるデータの記録が終了すると、次に微少量記録する位置をずらし、物体光４０−２（データ２）を照射し、参照光４１−２と干渉させホログラム４２−２を体積記録する。こうした記録動作を、以下順次記録位置をずらしながら行っていく。
【００３０】
データの再生は、記録したホログラム４２−１の位置に参照光４１−１を照射すれば、その参照光によって、その位置に記録されたホログラム４２−１からのみ回折光を得ることができる。したがって、参照光４１−１をホログラム４２−１に照射して、そこから得られる回折光を受光することによって、データ１の２次元データを再生することができる。
【００３１】
なお、この例では、Ｘ方向のみのシフト多重について説明したが、同様にＹ方向についてもシフト多重記録を行うことが可能であり、Ｘ方向とＹ方向の双方についてシフト多重記録を行うことにより、膨大な情報を多重記録することができ、大容量の記録・再生装置を実現することができる。
【００３２】
次に、図２および図３を用いて、情報の記録あるいは再生における記録再生光学系の動作について説明する。なお、図２および図３は、図１をＹ軸方向から見た図である。
今、図２に示すように、物体光３０の光軸（ＯＬ９の光軸）が、カード型光記録媒体１０の点Ａの位置にあるとする。情報の記録あるいは再生のためにカード型光記録媒体１０の点Ｂに物体光３０、参照光３１を移動する必要が生じた時、Ｘ方向に対しては、カード型光記録媒体１０を移動させ、Ｘ方向に直交するＺ方向に対しては、ホログラム記録再生光学系２０を移動させて、図３に示すように、物体光３０および参照光３１を点Ｂの位置に照射する。
【００３３】
次に、第２の実施形態について、図４から図６を用いて説明する。
図４に示すように、本実施形態におけるホログラム記録再生光学系は、レーザー１から出射した光を平行光にするレンズ２を含む第１の光学系部２１と、ＳＬＭ７、ＯＬ９、ホログラム素子１１および２次元光検出器アレイ１３を含む第２の光学系部２２により構成されている。なお、図８から図１０は、図５および図６をＹ軸方向から見た図である。
【００３４】
今、図５に示すように、物体光３０の光軸（ＯＬ９の光軸）が、カード型光記録媒体１０の点Ａの位置にあるとする。情報の記録あるいは再生のためにカード型光記録媒体１０の点Ｂに、物体光３０、参照光３１を移動する必要が生じた時、Ｘ方向に対しては、カード型光記録媒体１０を移動させ、Ｘ方向に直交するＺ方向に対しては、ホログラム記録再生光学系の第２の光学系部２２のみを移動させる。そして、図６に示すように、物体光３０および参照光３１を点Ｂの位置に照射する。この時、第１の光学系部２１は、固定されており移動はしない。
【００３５】
次に、第３の実施形態について、図７から図１０を用いて説明する。
カード型光記録媒体１０は、図７に示すように、カートリッジ４４に封入されている。
ホログラム情報の記録再生時には、カートリッジ４４をホログラム記録再生装置４０のシャッター４１部(開閉部)より挿入する。そうすると、図８に示すように、ホログラム記録再生装置４０内部でカートリッジのシャッター部４３が開き、カード型光記録媒体１０のみが、ホログラム記録再生装置４０側に設けられた引き込み機構５０により、ホログラム記録再生装置４０内に引き込まれる。
【００３６】
引き込み後、カートリッジ４４は取り出され、ホログラム記録再生装置４０のシャッター４１が閉じる。なお、図９に示すように、Ｚ方向に関しては、光学系２０は固定されており、カード型光記録媒体１０を挿入後、物体光３０および／あるいは参照光３１は、カード型光記録媒体１０の所望の位置に照射されて、データの記録あるいは再生が行われる。なお、このとき、光学系２０は、Ｘ方向に移動し、Ｘ方向に記録あるいは再生動作を行う。また、図１０に示すように、カード型光記録媒体１０は、ホログラム記録再生装置４０側に設けられた引き込み機構５０により、Ｚ方向に移動され、データの記録あるいは再生が行われる。
【００３７】
次に、図１１をもとに、連続的にデータを記録あるいは再生する時の動作について説明する。
図１１はカード型光記録媒体１０をＹ方向から見た図である。図中の円形部分は、カード型光記録媒体１０に記録されたホログラムである。ホログラムの記録手順は、まず、最初のホログラム３０を記録し、次いで、ホログラム記録再生光学系(図１から図３の符号２０あるいは図４から図６の符号２２)を図中Ｃ方向に移動させて順次多重記録していき、ホログラム３１までを記録する。
【００３８】
次に、カード型光記録媒体１０を図中Ｅ方向に移動させ、ホログラム３２を多重記録する。そして、今度は、ホログラム記録再生光学系(図１から図３の符号２０あるいは図４から図６の符号２２)を図中Ｄ方向に移動させ、順次多重記録していき、ホログラム３３までを記録する。さらに、カード型光記録媒体１０を図中Ｅ方向に移動させ、ホログラム３４を多重記録する。そして、ホログラム記録再生光学系(図１から図３の符号２０あるいは図４から図６の符号２２)を図中Ｃ方向に移動させ、順次多重記録していき、ホログラム３５までを記録していく。
【００３９】
なお、本実施形態では、カード型光記録媒体１０を一方向に移動させ、ホログラム記録再生光学系２０および２２を往復移動させて、２次元シフト多重記録する方法を示したが、カード型光記録媒体１０を往復移動させ、ホログラム記録再生光学系２０および２２を一方向に移動させて、２次元シフト多重記録する方法でも良い。
【００４０】
次に、図１２から図１４を用いて、第４の実施形態について説明する。
図１２はカード型光記録媒体１０を記録面法線方向(Ｙ方向)から見た図である。ここで、光記録媒体が長方形(ｍ×ｎ,ｍ＜ｎ)である場合を考える。図１３は、カートリッジ４４の開閉部４３を光力ード短辺方向に設けた場合の図(図１２は、Ｚ方向から見た図)、図１４は、カートリッジ４４の開閉部４３を長辺方向に設けた場合の図(図１２のＸ方向から見た図)である。
【００４１】
ここで、開閉部４３の幅は、Ｍ＜Ｎであり、短辺方向に開閉部を設けた方が、開閉部の面積が小さいのでカートリッジ４４内部へのゴミあるいはチリ等の侵入を防ぐことができる。また、カートリッジ４４の強度は、開閉部の面積が小さいほうが強固である。さらに、ホログラム記録再生装置４０側においても、カートリッジ４４の開閉部が短辺方向にある場合に対応して、カートリッジ４４の長手方向に挿入する方が、開閉部の面積が小さくなり、ホログラム記録再生装置内へのゴミあるいはチリ等の侵入を防ぐことができる。
【００４２】
次に、図１５から図１７を用いて、第５の実施形態について説明する。
ここで、図１５はカード型記録媒体を記録面法線方向(Ｙ方向)から見た図であり、図１６および図１７は図１５をＺ方向から見た図である。
【００４３】
図において、Ｆは、カード型光記録媒体１０の移動方向を表すベクトルであり、Ｇは参照光の入射方向をＸＺ面(カード型光記録媒体面)に射影したベクトルである。また、θはＦとＧとのなす角である。図１６は、記録領域３５に情報を記録し、あるいは、すでに記録された情報を再生するために、参照光をＨ方向から入射させた図である。また、図１７は記録領域３５に情報を記録し、あるいは、すでに記録された情報を再生するために、参照光をJ方向から入射させた図である。
【００４４】
図１６に示されるように、反射膜層１０２で反射した参照光は、Ｉ方向に反射する。また、図１７に示されるように、反射膜層１０２で反射した光はＫ方向に反射する。例えば、記録されたホログラムを再生する場合、図１６に示すように、Ｈ方向から参照光を入射させると、反射膜層１０２の反射光は、既記録領域に反射するために、未記録領域に影響を与えることはない。
【００４５】
一方、図１７に示すように、J方向から参照光を入射させると、反射膜層１０２の反射光は、未記録領域に反射するため、未記録領域が感光してしまい、その領域にデータを記録しようとすると、データが良好に記録できなくなったり、記録するための条件が変わる等の不具合が生じる恐れがある。そこで、図１５に示した角度θの範囲を−９０°＜θ＜９０°とすることで未記録領域への参照光の不必要な反射光を低減することができる。さらには、θを略０°とすることで、未記録領域への参照光の不必要な反射光をほとんど無くすことができる。
【００４６】
以上、図面を参照して本発明の実施形態について詳述してきたが、具体的な構成はこれらの実施形態に限られるものではなく、この発明の要旨を逸脱しない範囲の設計変更等も含まれる。
【図面の簡単な説明】
【００４７】
【図１】第１の実施形態に係る光学系の構成図である。
【図２】図１をＹ軸方向から見た場合の光学系の構成図である。
【図３】図１をＹ軸方向から見た場合の光学系の構成図である。
【図４】第２の実施形態に係る光学系の構成図である。
【図５】図４をＹ軸方向から見た場合の光学系の構成図である。
【図６】図４をＹ軸方向から見た場合の光学系の構成図である。
【図７】第３の実施形態に係るホログラムメモリ媒体の構成図である。
【図８】図７のホログラムメモリ媒体を用いて記録再生を行う場合の機構系の動作を示す図である。
【図９】図７のホログラムメモリ媒体を用いた記録再生方法を示す図である。
【図１０】図７のホログラムメモリ媒体を用いた記録再生方法を示す図である。
【図１１】連続的にデータを記録再生する場合の動作を説明する図である。
【図１２】第４の実施形態に係るカード型メモリ媒体の構成を示す図である。
【図１３】第４の実施形態に係るカード型メモリ媒体の構成を示す図である。
【図１４】第４の実施形態に係るカード型メモリ媒体の構成を示す図である。
【図１５】第５の実施形態に係るカード型メモリ媒体を記録面の法線方向から見た図である。
【図１６】図８をＺ方向から見た図である。
【図１７】図８をＺ方向から見た図である。
【図１８】シフト多重方式による記録方法の概念図である。
【符号の説明】
【００４８】
１・・・レーザー、２・・・レンズ、３、５、８・・・λ／２板、４、６・・・偏光ビームスプリッタ（ＰＢＳ）、７・・・空間光変調器（ＳＬＭ）、９・・・対物レンズ（ＯＬ）、１０・・・カード型光記録媒体、１１・・・ホログラム素子、１２・・・集光レンズ、１３・・・２次元光検出器アレイ、２１・・・第１の光学系部、２２・・・第２の光学系部、３０、４０−１、４０−２・・・物体光、３１、４１−１、４１−２・・・参照光、１０１・・・記録層、１０２・・・反射膜層、３２、３３、４２−１、４２−２・・・ホログラム、３５・・・記録領域、４０・・・ホログラム記録再生装置、４１・・・ホログラム記録再生装置のシャッター、４３・・・カートリッジのシャッター部、４４・・・カートリッジ、５０・・・引き込み機構、
【図１】
2006048810.tif 000003
【図２】
2006048810.tif 000004
【図３】
2006048810.tif 000005
【図４】
2006048810.tif 000006
【図５】
2006048810.tif 000007
【図６】
2006048810.tif 000008
【図７】
2006048810.tif 000009
【図８】
2006048810.tif 000010
【図９】
2006048810.tif 000011
【図１０】
2006048810.tif 000012
【図１１】
2006048810.tif 000013
【図１２】
2006048810.tif 000014
【図１３】
2006048810.tif 000015
【図１４】
2006048810.tif 000016
【図１５】
2006048810.tif 000017
【図１６】
2006048810.tif 000018
【図１７】
2006048810.tif 000019
【図１８】
2006048810.tif 000020